(57)【特許請求の範囲】
【請求項１】
楽譜情報及び楽音情報の少なくとも一方で構成される音源情報及び電話番号を入力する操作と、前記音源情報をディジタル楽音信号に変換した後に重ね合わせる操作と、を受付けるキー入力手段と、
複数の前記音源情報を記憶する記憶手段と、
前記音源情報をディジタル楽音信号に変換した後に重ね合わせる操作に応じて、前記記憶手段に記憶された複数の前記音源情報をディジタル楽音信号に変換し、変換された前記ディジタル楽音信号を重ね合わせて合成する音声合成手段と、
着信時に、重ね合わせた前記ディジタル楽音信号に対応する楽音信号を作成する着信音作成制御手段と、
前記楽音信号に対応する楽音を発音する発音手段と、
を具備することを特徴とする電話装置。
【請求項２】
前記キー入力手段の操作によって入力される前記楽譜情報は、一音符毎の音長、音階、音量、テンポ及び音質からなる群より選ばれた少なくとも二つを組み合わせたものである、ことを特徴とする請求項１記載の電話装置。
【請求項３】
前記ディジタル楽音信号が入力される入力端子を具備し、
前記記憶手段は、前記入力端子を介して入力された複数の前記ディジタル楽音信号を記憶し、
前記音声合成手段は、前記音源情報をディジタル楽音信号に変換した後に重ね合わせる操作に応じて、前記記憶手段に記憶された前記音源情報から変換された前記ディジタル楽音信号と、前記入力端子を介して入力され、かつ、前記記憶手段に記憶された前記ディジタル楽音信号と、を重ね合わせて合成する、ことを特徴とする請求項１又は請求項２記載の電話装置。
【請求項４】
前記音声合成手段は、合成した前記ディジタル楽音信号を記憶手段に上書きする、ことを特徴とする請求項１から請求項３のいずれかに記載の電話装置。
【請求項５】
前記音声合成手段は、合成した前記ディジタル楽音信号を前記記憶手段の所定アドレスの記憶領域毎に記憶し、
前記着信音作成制御手段は、着信時に、前記記憶手段における指定アドレスに応じた記憶領域の前記ディジタル楽音信号に対応する楽音信号を作成し、
前記キー入力手段は、前記指定アドレスの入力操作を受付ける、
ことを特徴とする請求項１から請求項４のいずれかに記載の電話装置。
【請求項６】
請求項１から請求項５いずれかに記載の電話装置を具備することを特徴とする携帯電話装置。
【請求項７】
請求項６記載の携帯電話装置を具備することを特徴とする移動体通信システム。
【発明の詳細な説明】
【０００１】
【発明の属する技術分野】
本発明は、移動体通信システムにおける携帯電話機又は家庭用などの有線通信による据え置き型の電話機等の電話装置及び方法に関し、特に利用者が着信音を自由に作曲することが可能な電話装置及び方法に関する。
【０００２】
【従来の技術】
従来、電話装置において、着信音は予め設定された電子音が発音されるようになっているものが主流であった。しかし、近年、特開平９−３０７６０７号公報に開示されているように、利用者が音長・音階のみを決めることにより着信音を作曲することが可能な電話装置が登場している。
【０００３】
【発明が解決しようとする課題】
しかしながら、従来の装置においては、着信音の音長・音階を一音符毎に利用者が任意に決め、それを着信音として音声に変換して発音することはできるが、一種類の着信音データのみを選択し、それを着信音として発音する構成であるため、一旋律しか発音できず、複数の旋律を同時に発音するなど、より複雑且つ自由な作曲による着信音の作成を行うことができないという問題がある。
【０００４】
本発明はかかる点に鑑みてなされたものであり、作成した複数の音源情報を重ね合わせて発音することを可能とすることによって、主旋律と伴奏を同時に発音するなど、より複雑且つ自由な作曲による着信音の作成を行うことができる電話装置及び電話装置における着信音作成／発音方法を提供することを目的とする。
【０００５】
【課題を解決するための手段】
本発明の電話装置は、楽譜情報及び楽音情報の少なくとも一方で構成される音源情報及び電話番号を入力する操作と、前記音源情報をディジタル楽音信号に変換した後に重ね合わせる操作と、を受付けるキー入力手段と、複数の前記音源情報を記憶する記憶手段と、前記音源情報をディジタル楽音信号に変換した後に重ね合わせる操作に応じて、前記記憶手段に記憶された複数の前記音源情報をディジタル楽音信号に変換し、変換された前記ディジタル楽音信号を重ね合わせて合成する音声合成手段と、着信時に、重ね合わせた前記ディジタル楽音信号に対応する楽音信号を作成する着信音作成制御手段と、前記楽音信号に対応する楽音を発音する発音手段と、を具備する構成を採る。
【０００６】
この構成によれば、複数の音源情報を重ね合わせた着信音を作成・発音することを可能とすることによって、より複雑、かつ、自由な作曲による着信音の作成を行い、この作成された着信音を着信時に発音させることができる。また、この構成によれば、楽譜情報や楽音情報の少なくとも一方で構成される音源情報をキー入力手段から直接入力することができる。
【０００７】
本発明の電話装置は、上記構成において、前記キー入力手段の操作によって入力される前記楽譜情報は、一音符毎の音長、音階、音量、テンポ及び音質からなる群より選ばれた少なくとも二つを組み合わせたものである、構成を採る。
【０００８】
この構成によれば、キー入力手段から楽譜情報である音長・音階・音量・テンポ・音質（楽器の種類等）を任意に組み合わせることができる。
【０００９】
本発明の電話装置は、上記構成において、前記ディジタル楽音信号が入力される入力端子を具備し、前記記憶手段は、前記入力端子を介して入力された複数の前記ディジタル楽音信号を記憶し、前記音声合成手段は、前記音源情報をディジタル楽音信号に変換した後に重ね合わせる操作に応じて、前記記憶手段に記憶された前記音源情報から変換された前記ディジタル楽音信号と、前記入力端子を介して入力され、かつ、前記記憶手段に記憶された前記ディジタル楽音信号と、を重ね合わせて合成する、構成を採る。
【００１０】
この構成によれば、入力端子から録音したディジタル楽音信号を複数重ね合わせることができる。
【００１１】
本発明の電話装置は、上記構成において、前記音声合成手段は、合成した前記ディジタル楽音信号を記憶手段に上書きする、構成を採る。
【００１２】
この構成によれば、記憶手段に記憶されるディジタル楽音信号を、操作時に常に最新情報として記憶しておくことができる。
【００１３】
本発明の電話装置は、上記構成において、前記音声合成手段は、合成した前記ディジタル楽音信号を前記記憶手段の所定アドレスの記憶領域毎に記憶し、前記着信音作成制御手段は、着信時に、前記記憶手段における指定アドレスに応じた記憶領域の前記ディジタル楽音信号に対応する楽音信号を作成し、前記キー入力手段は、前記指定アドレスの入力操作を受付ける、構成を採る。
【００１４】
この構成によれば、ディジタル楽音信号を複数作成しておき、任意のディジタル楽音信号を選択して重ね合わせることによって着信音とすることができる。
【００１７】
本発明の携帯電話装置は、上記何れかの構成と同様の電話装置を具備する構成を採る。
【００１８】
この構成によれば、携帯電話装置においても、上記何れかの構成と同様の作用効果を得ることができる。
【００１９】
本発明の移動体通信システムは、上記構成の携帯電話装置を具備する構成を採る。
【００２０】
この構成によれば、移動体通信システムにおいても、上記構成の携帯電話装置と同様の作用効果を得ることができる。
【００２３】
【発明の実施の形態】
以下、本発明の実施の形態について、図面を参照して詳細に説明する。なお、以下の一実施の形態では、「楽音」を「音声」と表記する場合がある。
【００２４】
（実施の形態）
図１は、本発明の実施の形態に係る電話装置の構成を示すブロック図である。
【００２５】
この図１に示す電話装置１００は、移動体通信システムにおける携帯電話機又は家庭用などの有線通信による据え置き型の電話機等であり、着信検出手段１０１と、キー入力手段１０２と、音声データ入力端子１０３と、楽譜情報作成制御手段１０４、着信音録音制御手段１０５、着信音合成制御手段１０６、着信音作成制御手段１０７、及び着信音選択手段１０８を有する制御手段１０９と、楽譜情報記憶手段１１０と、録音記憶手段１１１と、楽譜情報変換手段１１２と、ディジタル信号合成手段１１３と、Ｄ／Ａ変換手段１１４と、アドレス記憶手段１１５と、発音手段（スピーカ）１１６とを備えて構成されている。
【００２６】
着信検出手段１０１は、図示せぬ相手電話装置からの着信を検出し、制御手段１０９に、その検出された着信信号を出力するものである。
【００２７】
キー入力手段１０２は、利用者が通常の電話番号等の入力、音源情報である楽譜情報やディジタル音声信号の入力、本実施の形態の特徴である複数の音源情報の重ね合わせ着信音とするための入力の操作を行うものであり、数字キーやファンクションキー等を備えて構成されている。
【００２８】
音声データ入力端子１０３は、利用者が図示せぬカセットレコーダ、ＣＤレコーダ、ＭＤレコーダ等の音源装置を接続することによって、着信音又はその一部となるディジタル音声信号の入力を行うものである。
【００２９】
制御手段１０９は、電話装置１００の動作を制御すると共に、本実施の形態の特徴要素である楽譜情報作成制御手段１０４、着信音録音制御手段１０５、着信音合成制御手段１０６、着信音作成制御手段１０７、及び着信音選択手段１０８が備える処理機能の制御を行うものである。
【００３０】
楽譜情報作成制御手段１０４は、キー入力手段１０２からのキー入力操作によって、一音符毎に音長・音階・音量・音質（楽器等）・テンポを任意に組み合わせた楽譜情報が入力された際に、この入力された楽譜情報を楽譜情報記憶手段１１０に記憶する制御を行うものである。
【００３１】
着信音録音制御手段１０５は、キー入力手段１０２からのキー入力操作によって、音声データ入力端子１０３から入力されたディジタル音声信号を録音記憶手段１１１に記憶する制御を行うものである。
【００３２】
楽譜情報記憶手段１１０は、楽譜情報作成制御手段１０４で作成された楽譜情報を記憶するものである。
【００３３】
録音記憶手段１１１は、音声データ入力端子１０３から入力されたディジタル音声信号を記憶するものである。
【００３４】
着信音合成制御手段１０６は、本実施の形態の特徴である複数の音源情報を重ね合わせた着信音を作成する制御を行ものであり、楽譜情報記憶手段１１０や録音記憶手段１１１に記憶されている複数の音源情報を楽譜情報変換手段１１２でディジタル音声信号に変換した後、ディジタル信号合成手段１１３で重ね合わせ（合成）、キー入力手段１０２からの入力により指定された録音記憶手段１１１のアドレスに、その重ね合わせたディジタル音声信号を記憶する制御を行うものである。
【００３５】
楽譜情報変換手段１１２は、読み出された音源情報が楽譜情報の場合に、それをディジタル音声信号へ変換するものである。
【００３６】
ディジタル信号合成手段１１３は、読み出された複数のディジタル音声信号の合成（重ね合わせ）を行うものである。
【００３７】
着信音作成制御手段１０７は、アドレス記憶手段１１５に記憶されているアドレスの音源情報を読み出し、着信音を作成し、発音する制御を行うものである。
【００３８】
Ｄ／Ａ変換手段１１４は、入力されたディジタル音声信号をアナログ信号に変換するものである。
【００３９】
発音手段１１６は、着信音作成制御手段１０７からの着信音信号を音声に変換すると共に、通話相手の声等を発音するものである。
【００４０】
着信音選択手段１０８は、キー入力手段１０２から入力された楽譜情報記憶手段１１０や録音記憶手段１１１に記憶されている音源情報のうち着信音とするもののアドレスを認識し、そのアドレスをアドレス記憶手段１１５に書き込む制御を行うものである。
【００４１】
アドレス記憶手段１１５は、着信音とする音源情報が記憶されているアドレスを記憶しておくものである。
【００４２】
このような構成の電話装置１００における着信音の作成及び発音の処理動作を図２〜図７に示すフロー図を参照して説明する。
【００４３】
図２のステップＳＴ２０１において、着信検出手段１０１が相手電話装置からの着信を検出したか否かが判断される。
【００４４】
この判断結果、着信が未検出の場合は、ステップＳＴ２０２において、キー入力手段１０２からの入力操作が行われたか否かが判断され、この判断結果、入力が無ければステップＳＴ２０１に戻る。
【００４５】
ステップＳＴ２０２において、楽譜情報作成の入力操作が行われた場合、図４のステップＳＴ４０１において、楽譜情報作成制御手段１０４が、キー入力手段１０２から一音符毎に入力される楽譜情報を認識して楽譜情報記憶手段１１０に書き込む。この書き込みは、キー入力手段１０２からの入力により指定されたアドレスの記憶領域に書き込まれるようになっている。
【００４６】
次に、ステップＳＴ４０２において、キー入力手段１０２から楽譜情報作成を終了する入力操作が行われたか否かが判断される。この判断結果、楽譜情報作成制御手段１０４が、楽譜情報作成終了を検出すると、以降の制御を制御手段１０９の通常の制御に譲りステップＳＴ２０１に戻る。楽譜情報作成終了が検出されない場合はステップＳＴ４０１に戻る。
【００４７】
また、ステップＳＴ２０２において、着信音録音の入力操作が行われた場合、着信音録音制御手段１０５が、音声データ入力端子１０３から入力されるディジタル音声信号を認識して録音記憶手段１１１に書き込む制御を行う。
【００４８】
着信音録音制御手段１０５では、まず、図５のステップＳＴ５０１において、キー入力手段１０２から録音を開始する入力操作が行われたか否かが判断される。
【００４９】
この判断結果、着信音録音制御手段１０５が、録音開始を検出すると、ステップＳＴ５０２において、着信音録音制御手段１０５が、音声データ入力端子１０３から入力されたディジタル音声信号を認識して録音記憶手段１１１に書き込む。この書き込みは、キー入力手段１０２からの入力により指定されたアドレスの記憶領域に書き込まれるようになっている。
【００５０】
次に、ステップＳＴ５０３において、キー入力手段１０２から録音終了の入力操作が行われたか否かが判断される。この判断結果、着信音録音制御手段１０５が、録音終了を検出すると、以降の制御を制御手段１０９の通常の制御に譲りステップＳＴ２０１に戻る。楽譜情報作成終了が検出されない場合はステップＳＴ５０２に戻る。
【００５１】
また、ステップＳＴ２０２において、着信音合成の入力操作が行われた場合、着信音合成制御手段１０６が、楽譜情報記憶手段１１０又は録音記憶手段１１１に記憶されている音源情報のうち、キー入力手段１０２からの入力により指定された複数アドレスの音源情報をディジタル音声信号に変換して重ね合わせ、再びキー入力手段１０２からの入力により指定された録音記憶手段１１１のアドレスに書き込む制御を行う。
【００５２】
着信音合成制御手段１０６では、まず、図６のステップＳＴ６０１において、キー入力手段１０２から入力された、合成する音源情報が記憶されているアドレスを認識する。
【００５３】
次に、ステップＳＴ６０２において、ステップＳＴ６０１において入力されたアドレスが録音記憶手段１１１のものか否かが判断される。この判断結果、着信音合成制御手段１０６が、入力を録音記憶手段１１１のアドレスであると判断すると、ステップＳＴ６０３において、着信音合成制御手段１０６が、録音記憶手段１１１の所定アドレスのディジタル音声信号をディジタル信号合成手段１１３に読み込む。
【００５４】
一方、ステップＳＴ６０１において入力されたアドレスが録音記憶手段１１１のものでない、即ち、楽譜情報保存手段のものであると判断すると、ステップＳＴ６０４において、着信音合成制御手段１０６が、楽譜情報記憶手段１１０の所定アドレスの楽譜情報を楽譜情報変換手段１１２に読み込む。
【００５５】
次に、ステップＳ６０５において、楽譜情報変換手段１１２が、読み込まれた前記楽譜情報をディジタル音声信号に変換する。
【００５６】
次に、ステップＳＴ６０６において、着信音合成制御手段１０６が、上記ディジタル音声信号をディジタル信号合成手段１１３に読み込む。
【００５７】
次いで、ステップＳＴ６０３、又はステップＳＴ６０６の処理が終了すると、ステップＳＴ６０７において、着信音合成制御手段１０６がキー入力手段１０２から合成を開始する入力操作が行われたか否かを判断する。
【００５８】
この判断結果、着信音録音制御手段１０６が、合成開始の入力を検出すると、ステップＳＴ６０８において、ディジタル信号合成手段１１３が、読みこんだ全てのディジタル音声信号の重ね合わせ（合成）を行う。
【００５９】
次に、ステップＳＴ６０９において、着信音合成制御手段１０６が、キー入力手段１０２から入力された、合成後のディジタル音声信号を保存する録音記憶手段１１１のアドレスを認識する。
【００６０】
最後に、ステップＳＴ６１０において、着信音合成制御手段１０６が、録音記憶手段１１１の所定のアドレスに合成後のディジタル音声信号を記憶し、以降の制御を制御手段１０９の通常の制御に譲りステップＳＴ２０１に戻る。
【００６１】
一方、ステップＳＴ６０７において、着信音録音制御手段１０６が、合成開始の入力を検出しなかった場合は、ステップＳＴ６０１の動作に戻る。
【００６２】
また、ステップＳＴ２０２において、着信音選択の入力操作が行われた場合、着信音選択手段１０８が、楽譜情報記憶手段１１０又は録音記憶手段１１１に記憶されている音源情報のうち、キー入力手段１０２からの入力により指定されたアドレスの音源情報を着信音とするため、このアドレスをアドレス記憶手段１１５に書き込む制御を行う。
【００６３】
着信音選択手段１０８では、まず、図７のステップＳＴ７０１において、キー入力手段１０２から入力された、着信音とする音源情報が記憶されている楽譜情報記憶手段１１０、又は録音記憶手段１１１のアドレスを認識する。
【００６４】
次に、ステップＳＴ７０２において、着信音選択手段１０８がステップＳＴ７０１で認識したアドレスを、アドレス記憶手段１１５に書きこみ、以降の制御を制御手段１０９の通常の制御に譲りステップＳＴ２０１に戻る。
【００６５】
一方、ステップＳＴ２０１の判断結果、着信検出手段１０１で着信が検出された場合、図３のステップＳＴ３０１において、着信音作成制御手段１０７が、キー入力手段１０２から入力された、着信音として発音する音源情報が記憶されているアドレスを認識し、そのアドレスが録音記憶手段１１１のものか否かが判断される。
【００６６】
この判断結果、着信音作成制御手段１０７が、入力を録音記憶手段１１１のアドレスであると判断すると、ステップＳＴ３０３において、着信音作成制御手段１０６が、録音記憶手段１１１の所定アドレスのディジタル音声信号をＤ／Ａ変換手段１１４へ出力する。
【００６７】
一方、ステップＳＴ３０１の判断結果、入力を録音記憶手段１１１のアドレスでない、即ち、楽譜情報保存手段のアドレスであると判断すると、ステップＳＴ３０２において、着信音作成制御手段１０７が、楽譜情報記憶手段１１０の所定アドレスの楽譜情報を楽譜情報変換手段１１２に読み込み、楽譜情報変換手段１１２でディジタル音声信号に変換した後、Ｄ／Ａ変換手段１１４へ出力する。
【００６８】
次いで、ステップＳＴ３０３、又はステップＳＴ３０２の処理が終了すると、ステップＳＴ３０４において、Ｄ／Ａ変換手段１１４がディジタル音声信号をアナログ信号に変換し、発音手段１１６へ出力する。
【００６９】
次に発音手段１１６がアナログ信号を音声に変換し、着信音として発音し、以降の制御を制御手段１０９の通常の制御に譲りステップＳＴ２０１に戻る。
【００７０】
このように、本実施の形態の電話装置１００によれば、楽譜情報合成手段１０６によって、楽譜情報記憶手段１１０又は、録音記憶手段１１１の、キー入力手段１０２からの入力により指定されたアドレスに記憶されている複数の音源情報を、ディジタル音声信号として重ね合わせる（合成する）ことができる。さらに、着信検出時に、着信音作成制御手段１０７の制御によって、この合成されたディジタル音声信号を音声に変換し、発音手段１１６から発音することによって、複数の音源情報を重ね合わせた音源情報を発音できることにより、より複雑且つ自由な作曲による着信音の作成を行い、この作成された着信音を着信時に発音させることができる。
【００７１】
また、楽譜情報作成制御手段１０４が、作成した一音符毎の音長・音階・音量・テンポ・音質（楽器の種類等）の任意の組み合わせである楽譜情報を楽譜情報記憶手段１１０の所定アドレスの記憶領域毎に複数記憶し、着信音合成制御手段１０６が、楽譜情報記憶手段１１０における任意の指定アドレスの複数楽譜情報を楽譜情報変換手段１１２でディジタル音声信号に変換し、ディジタル信号合成手段１１３で重ね合わせる制御を行い、着信音作成制御手段１０７が、着信時に、この重ね合わせたディジタル音声信号をＤ／Ａ変換手段１１４でアナログ信号に変換し、発音手段１１６で音声として発音する制御を行うことにより、複数の楽譜情報を重ね合わせた音源情報を着信時に発音することができる。
【００７２】
また、着信音録音制御手段１０５が、音声データ入力端子１０３から入力された複数のディジタル音声信号を、録音記憶手段１１１の所定アドレスの記憶領域毎に記憶し、着信音合成制御手段１０６が、録音記憶手段１１１における任意の指定アドレスの複数ディジタル音声信号をディジタル信号合成手段１１３で重ね合わせる制御を行い、着信音作成制御手段１０７が、着信時に、この重ね合わせたディジタル音声信号をＤ／Ａ変換手段１１４でアナログ信号に変換し、発音手段１１６で音声として発音する制御を行うことにより、複数のディジタル音声信号を重ね合わせた音源情報を着信時に発音することができる。
【００７３】
また、着信音合成制御手段１０６が、楽譜情報記憶手段１１０における任意の指定アドレスの複数楽譜情報を楽譜情報変換手段１１２でディジタル音声信号に変換し、録音記憶手段１１１における任意の指定アドレスの複数ディジタル音声信号とディジタル信号合成手段１１３で重ね合わせる制御を行い、着信音作成制御手段１０７が、着信時に、この重ね合わせたディジタル音声信号を音声として発音手段１１６から発音する制御を行うことにより、複数の楽譜情報と複数のディジタル音声信号を重ね合わせた音源情報を着信時に発音することができる。
【００７４】
また、着信音合成制御手段１０６が、複数の楽譜情報あるいはディジタル音声信号を合成し生成されたディジタル音声信号を、録音記憶手段１１１に上書きできるようにしたので、着信音となるディジタル音声信号を、操作時に常に最新情報として記憶しておくことができる。
【００７５】
また、着信音合成制御手段１０６が、合成したディジタル音声信号を録音記憶手段１１１の所定アドレスの記憶領域毎に記憶し、着信音作成制御手段１０７が、着信時に、録音記憶手段１１１における指定アドレスに応じた記憶領域のディジタル音声信号に対応する着信音信号を作成するが、これに先だって、着信音選択手段１０８が、キー入力手段１０２から入力した先の指定アドレスをアドレス記憶手段１１５に記憶し、着信時にアドレス記憶手段１１５に記憶されているアドレスを着信音となる音源情報のアドレスとする制御を行うことで、着信音の候補となる音源情報を複数作成しておき、任意のものを選択して着信音とすることができる。
【００７６】
【発明の効果】
以上説明したように、本発明によれば、着信検出時に、作成した複数の音源情報を重ね合わせて発音することを可能とすることによって、主旋律と伴奏を同時に発音するなど、より複雑且つ自由な作曲による着信音の作成を行うことができる。
【図面の簡単な説明】
【図１】本発明の実施の形態に係る電話装置の構成を示すブロック図
【図２】上記実施の形態に係る電話装置における音源情報の記憶、合成、着信音の作成及び発音の処理動作を説明するための第１のフロー図
【図３】上記実施の形態に係る電話装置における音源情報の記憶、合成、着信音の作成及び発音の処理動作（着信音の作成、発音の処理動作）を説明するための第２のフロー図
【図４】上記実施の形態に係る電話装置における音源情報の記憶、合成、着信音の作成及び発音の処理動作（楽譜情報作成、記憶の処理動作）を説明するための第３のフロー図
【図５】上記実施の形態に係る電話装置における音源情報の記憶、合成、着信音の作成及び発音の処理動作（録音による音源情報の記憶の処理動作）を説明するための第４のフロー図
【図６】上記実施の形態に係る電話装置における音源情報の記憶、合成、着信音の作成及び発音の処理動作（複数の音源情報の合成、記憶の処理動作）を説明するための第５のフロー図
【図７】上記実施の形態に係る電話装置における音源情報の記憶、合成、着信音の作成及び発音の処理動作（着信音の選択の処理動作）を説明するための第６のフロー図
【符号の説明】
１００  電話装置
１０２  キー入力手段
１０３  音声データ入力端子
１０４  楽譜情報作成制御手段
１０６  着信音合成制御手段
１１０  楽譜情報記憶手段
１１１  録音記憶手段
１１３  ディジタル信号合成手段
１１６  発音手段
【図１】
0003574361.tif 000002
【図２】
0003574361.tif 000003
【図３】
0003574361.tif 000004
【図４】
0003574361.tif 000005
【図５】
0003574361.tif 000006
【図６】
0003574361.tif 000007
【図７】
0003574361.tif 000008